(57)【要約】  アクセサリ使用可能装置は、選択的に作動されるフィーチャ１０５を含む第１の装置１０２を含む。インテロゲーションソース１０８は、インテロゲーションに応答して、アクセサリ装置からのフィードバックが、前記第１の装置と前記アクセサリ装置との間に適合性が存在する場合にのみタスクを実行するように使用可能にされる、
2015526805.tif 000002
【特許請求の範囲】
【請求項１】
アクセサリ装置において、
選択的に作動されるフィーチャを含む第１の装置と、
インテロゲーションに応じて、前記アクセサリ装置からのフィードバックが、前記第１の装置と前記アクセサリ装置との間の適合性が決定されるように測定されるように前記アクセサリ装置をインテロゲートするインテロゲーションソースと、
を有し、
前記選択的に作動されるフィーチャは、特定の適合性が前記第１の装置と前記アクセサリ装置との間に存在する場合にのみ、タスクを実行するように使用可能にされる、
アクセサリ装置。
【請求項２】
前記第１の装置が、紫外線（ＵＶ）消毒装置を含み、前記選択的に作動されるフィーチャが、ＵＶ源を含む、請求項１に記載の装置。
【請求項３】
前記第１の装置が、前記ＵＶ源のフラッシュの特性を測定するＵＶ検出器を含む、請求項２に記載の装置。
【請求項４】
前記アクセサリ装置が、包帯又はバンデージを含む、請求項１に記載の装置。
【請求項５】
前記インテロゲーションソースが、無線周波数識別（ＲＦＩＤ）リーダを含み、前記アクセサリ装置が、ＲＦＩＤタグを含む、請求項１に記載の装置。
【請求項６】
前記インテロゲーションソースが、発光素子を含み、前記アクセサリ装置が、認識可能パターンを含む、請求項１に記載の装置。
【請求項７】
前記認識可能パターンが、バーコード、インクパターン及び/又は表面質感の１つを含む、請求項６に記載の装置。
【請求項８】
前記発光素子が可視光を含み、前記認識可能パターンが可視である、請求項６に記載の装置。
【請求項９】
前記インテロゲーションソースが、紫外線発光素子を含み、前記アクセサリ装置が、光輝性材料を含む、請求項１に記載の装置。
【請求項１０】
前記インテロゲーションソースが、第１の接点構成を含み、前記アクセサリ装置が、第２の接点構成を含む、請求項１に記載の装置。
【請求項１１】
前記インテロゲーションソースが、一次コイル構成を含み、前記アクセサリ装置が、二次コイル構成を含む、請求項１に記載の装置。
【請求項１２】
前記アクセサリ装置からのフィードバックが、前記アクセサリ装置に対する前記第１の装置の距離又は位置の一方を測定するのに使用される、請求項１に記載の装置。
【請求項１３】
前記選択的に作動されるフィーチャに関連付けられたパラメータを記憶するメモリ装置を有する、請求項１に記載の装置。
【請求項１４】
装置間の適合性を決定するシステムにおいて、
選択的に作動されるフィーチャを含む第１の装置と、
第２の装置であって、前記第２の装置の特性を識別する識別機構を含む、第２の装置と、
インテロゲーションに応じて、前記第１の装置と前記第２の装置との間の適合性を決定するように前記識別機構からのフィードバックが測定されるように、前記第２の装置をインテロゲートするインテロゲーションソースと、
を有し、
前記選択的に作動されるフィーチャは、前記第１の装置と前記第２の装置との間に適合性が存在する場合にのみタスクを実行するように使用可能にされる、
システム。
【請求項１５】
前記第１の装置が、紫外線（ＵＶ）消毒装置を含み、前記選択的に作動されるフィーチャが、ＵＶ源を含む、請求項１４に記載のシステム。
【請求項１６】
前記第１の装置が、前記ＵＶ源のフラッシュの特性を測定するようにＵＶ検出器を含む、請求項１５に記載のシステム。
【請求項１７】
前記第２の装置が、包帯又はバンデージを含む、請求項１４に記載のシステム。
【請求項１８】
前記インテロゲーションソースが、無線周波数識別（ＲＦＩＤ）リーダを含み、前記識別機構が、ＲＦＩＤタグを含む、請求項１４に記載のシステム。
【請求項１９】
前記インテロゲーションソースが、発光素子を含み、前記識別機構が、認識可能パターンを含む、請求項１４に記載のシステム。
【請求項２０】
前記認識可能パターンが、バーコード、インクパターン及び/又は表面質感の１つを含む、請求項１９に記載のシステム。
【請求項２１】
前記インテロゲーションソースが、紫外線発光素子を含み、前記識別機構が、光輝性材料を含む、請求項１４に記載のシステム。
【請求項２２】
前記インテロゲーションソースが、第１の接点構成を含み、前記識別機構が、第２の接点構成を含む、請求項１４に記載のシステム。
【請求項２３】
前記インテロゲーションソースが、一次コイル構成を含み、前記識別機構が、二次コイル構成を含む、請求項１４に記載のシステム。
【請求項２４】
前記識別機構からのフィードバックが、前記アクセサリ装置に対する前記第１の装置の距離又は位置の一方を測定するように使用される、請求項１４に記載のシステム。
【請求項２５】
前記選択的に作動されるフィーチャに関連付けられたパラメータを記憶するメモリ装置を有する、請求項１４に記載のシステム。
【請求項２６】
装置使用を可能にするために適合性を決定する方法に対して、
インテロゲーションソースを使用してアクセサリ装置の識別機構をインテロゲートし、前記識別機構からフィードバックを生成するステップと、
選択的に作動されるフィーチャを持つ第１の装置と前記アクセサリ装置との間の適合性を決定するように前記フィードバックを測定するステップと、
前記フィードバック信号が適合性を示す場合に、前記選択的に作動されるフィーチャを使用可能にするステップと、
を有する方法。
【請求項２７】
前記第１の装置が、紫外線（ＵＶ）消毒装置を含み、前記選択的に作動されるフィーチャが、ＵＶ源を有する、請求項２７に記載の方法。
【請求項２８】
センサを使用して前記ＵＶのフラッシュの特性を測定するステップを有する、請求項２７に記載の方法。
【請求項２９】
前記特性を記憶し、前記特性を前記識別機構と関連付けるステップを有する、請求項２８に記載の方法。
【請求項３０】
前記アクセサリ装置が、包帯又はバンデージを含む、請求項２６に記載の方法。
【請求項３１】
前記インテロゲーション装置と前記識別機構との間の関係を使用して前記アクセサリ装置に対する前記第１の装置の距離又は位置の一方を測定するステップを有する、請求項２６に記載の方法。
【請求項３２】
前記選択的に作動されるフィーチャと関連付けられたパラメータをメモリ装置に記憶するステップを有する、請求項２６に記載の方法。
【発明の詳細な説明】
【技術分野】
【０００１】
本開示は、参照によりここに組み込まれる２０１２年７月１９日に出願された仮出願番号６１／６７３４２８に対する優先権を主張する。
【０００２】
本開示は、医学的装置に関し、より具体的には、装置（例えば装置及びアクセサリ）間の装置適合性を感知し、前記装置が、患者の効率的かつ安全な治療を保証するように一緒に適切に使用されうることを保証する医学的装置に関する。
【背景技術】
【０００３】
皮膚表面における細菌定着に関連した患者の感染は、医学分野において良好に文書化されている。感染リスクは、医学的装置が皮膚を貫通し、皮下組織及び脈管系に移動するように細菌に対する理想的トラックを作成する場合に大きい。これは、深刻な感染のリスクを引き起こすことができる。カテーテルの下の皮膚の消毒を達成する既知の方法は、前記カテーテルの下に挿入される消毒布地を使用することを含む。皮膚レベル細菌を制御する方法としてのパルス化紫外（ＵＶ）光エネルギの使用が既知であるが、しかしながら、この技術の安全性及び有効性は、改善領域のままである。ＵＶ光に対する制御されない暴露は、人間の皮膚に対して有害であることができ、迷光からの光学的危険を表すことができる。
【発明の概要】
【発明が解決しようとする課題】
【０００４】
ディスポーザブルアクセサリとインタフェースする医学的装置は、しばしば、１つのブランドからの前記アクセサリが異なる製造者からの資本設備とともに使用されうるように十分にユニバーサルであるように設計される。場合により、医学的装置は、マッチするブランドのアクセサリとともに使用するように特定的に設計され、前記装置の有効性は、システム全体の使用に依存する。前記装置を前記装置に対して設計されていないアクセサリとペアリングすることにより前記装置を誤用し、治療の有効性を制限する又は取り除くことも可能である。これは、オペレータエラー（例えば、誤ったアクセサリの不注意な選択）、臨床トレーニングの不足、（例えば、予算制約等による）適切なアクセサリの入手不能及び他の要因を含む複数の異なる要因によって起こることができる。
【０００５】
更に、患者治療に対する医学的装置の使用は、臨床医が前記患者のファイルに治療投与量及び治療の頻度を記録することを要求する。この記録管理の方法は、臨床医が、治療を記録することを忘れる、治療時間又は投与量を不正確に記録する、又は誤った患者の記録の下にデータを記録することがありうるので、人的エラーに対して脆弱である。
【課題を解決するための手段】
【０００６】
本原理によると、アクセサリ使用可能装置は、選択的に作動されるフィーチャを含む第１の装置を含む。インテロゲーションソースは、アクセサリ装置にインテロゲートし、インテロゲーションに応答して、前記アクセサリ装置からのフィードバックが、前記第１の装置と前記アクセサリ装置との間の適合性を決定するように測定されるように構成される。前記選択的に作動されるフィーチャは、特定された適合性が前記第１の装置と前記アクセサリ装置との間に存在する場合にのみタスクを実行することを可能にされる。
【０００７】
装置間の適合性を決定するシステムは、選択的に作動されるフィーチャを含む第１の装置と、第２の装置の特性を識別するように構成される識別機構を含む前記第２の装置とを含む。インテロゲーションソースは、前記第２の装置をインテロゲートし、インテロゲーションに応答して、前記第１の装置と前記第２の装置との間の適合性を決定するように前記識別機構からのフィードバックが測定されるように構成される。前記選択的に作動されるフィーチャは、適合性が前記第１の装置と前記第２の装置との間に存在する場合にのみタスクを実行することを可能にされる。
【０００８】
装置使用を可能にするために適合性を決定する方法は、インテロゲーションソースを使用してアクセサリ装置の識別機構をインテロゲートして前記識別機構からのフィードバックを生成するステップと、前記フィードバックを測定して、選択的に作動されるフィーチャを持つ第１の装置と前記アクセサリ装置との間の適合性を決定するステップと、前記フィードバック信号が適合性を示す場合に、前記選択的に作動されるフィーチャを使用可能にするステップとを含む。
【０００９】
本開示のこれら及び他の目的、特徴及び利点は、添付の図面と関連して読まれる例示的な実施例の以下の詳細な説明から明らかになる。
【００１０】
本開示は、以下の図を参照して好適な実施例の以下の説明を詳細に提示する。
【図面の簡単な説明】
【００１１】
【図１】一実施例による装置間の適合性を決定するシステムを示すブロック／フロー図である。
【図２】一実施例によるインテロゲーションソースと識別機構との間の空間的関係を示す概略的な斜視図である。
【図３】一実施例によるＲＦＩＤインテロゲーション及びＲＦＩＤタグを使用する構成を示す概略図である。
【図４】一実施例によるイメージングインテロゲーション及び画像パターンを使用する構成を示す概略図である。
【図５】一実施例による光輝性表面の色感知を使用する構成を示す概略図である。
【図６】一実施例による接触スイッチインテロゲーションを使用する構成を示す概略図である。
【図７】一実施例による誘導インテロゲーションを使用する構成を示す概略図である。
【図８】一実施例による可視パターンを用いる可視光インテロゲーションを使用する構成を示す概略図である。
【図９】説明用の実施例による装置間の適合性によって装置を使用可能にする方法を示すフロー図である。
【発明を実施するための形態】
【００１２】
本原理によると、適合性を決定するための医学的装置の相互識別に対するシステム及び方法が提供される。装置間の関係は、前記装置が患者治療又は他の使用に対して適切に一緒に使用されることができるかどうかを決定するように自動的に決定される。一実施例において、無線周波数識別（ＲＦＩＤ）技術は、医学的装置がアクセサリを識別することを可能にするのに使用されてもよい。前記医学的装置は、特定のアクセサリが存在する又は自己識別によって適合すると決定される場合にのみ機能するように構成されてもよい。一例において、包帯（dressing）感知フィーチャは、ハンドヘルド消毒装置とともに使用されるように中にＲＦＩＤタグを持つ包帯又はバンデージを含む。前記消毒装置は、前記バンデージ又はディスポーザブル包帯アクセサリの前記ＲＦＩＤタグの存在下で使用可能にされるＵＶエネルギ源を含んでもよい。
【００１３】
他のフィーチャによると、患者認識及び記録管理に対するＲＦＩＤ技術が、同様に使用されてもよい。このフィーチャは、どの患者が治療を受けたか、いつ前記治療が遂行されたか、治療の詳細等を追跡する一次的（又は二次的）な方法として機能しうる。
【００１４】
ＲＦＩＤ技術が一例として記載されており、他の技術もＲＦＩＤ技術の代わりに又は加えて使用されてもよいと理解されるべきである。本原理において使用される技術は、補完的（complementary）アクセサリ（又は装置）を識別し、前記装置が機能することを可能にするのにこの認識を使用する装置の能力を含むフィーチャを提供する。前記補完的アクセサリの不在時に、前記装置は、機能しないか又は部分的に使用不可にされ、警告又は他のアラート信号を提供する。前記補完的アクセサリは、包帯のようなディスポーザブルアイテムでありうるが、補完的装置又は複数の装置と一緒に使用される必要がありうる他の非ディスポーザブル装置を含みうる。一例において、装置は、ＵＶエネルギ源を含み、前記包帯は、前記包帯が前記装置により認識されることを可能にするように内蔵されたＲＦＩＤタグを含む。更に、前記ＲＦＩＤタグは、前記患者に対する治療の遂行に対して適切に前記装置を調整する際に前記オペレータを支援するのに使用されうる。このフィーチャは、前記アクセサリが使用される場合に有効かつ安全な治療が前記患者に遂行されることを保証し、例えば、前記装置を使用不可にすることにより、誤ったアクセサリを不注意に選択したオペレータに対する検出点として機能する。
【００１５】
患者認識及び記録管理は、他のフィーチャである。ＲＦＩＤタグは、各タグが他から区別されることを可能にする、記憶された電子情報内のユニーク識別子を含んでもよい。例えば、１つの装置が５０人の異なる患者に対して使用されている場合、前記装置は、前記患者が着用しているアクセサリ（例えば、ディスポーザブル包帯）に内蔵される前記ＲＦＩＤタグを読み取ることにより患者を区別することができる。このフィーチャは、前記装置が、治療サイクルにおいて推奨される投与量を超過する可能性を軽減する治療スケジュールに依存して機能するかどうかを制御するのに使用されることができる。例えば、リアルタイムクロック及びデータを記憶する能力を持つ装置は、患者の治療の頻度を追跡することができ、最後の投与がなされてから適切な時間が経過した場合に前記装置の機能を使用不可にしてもよい。
【００１６】
本発明が、医学的器具及びアクセサリに関して記載されるが、しかしながら、本発明の教示が、大幅に広く、いかなる器具の対又はセットにも同様に適用可能であると理解されるべきである。本原理は、生物学的システムの又は生物学的システムに対する外部又は内部処置に適用可能であり、肺、皮膚、消化管、排せつ器官、血管等のような身体の全ての領域における処置を含む。本原理は、複数のツール対又はセットが使用される機械的システムにも同様に適用可能である。図に描かれた要素は、ハードウェア及びソフトウェアの様々な組み合わせで実施されてもよく、単一の要素又は複数の要素に結合されうる機能を提供してもよい。
【００１７】
図に示される様々な要素の機能は、専用ハードウェア及び適切なソフトウェアと関連してソフトウェアを実行することができるハードウェアの使用により提供されることができる。プロセッサにより提供される場合、前記機能は、単一の専用プロセッサにより、単一の共有プロセッサにより、又はいくつかが共有されることができる複数の個別のプロセッサにより提供されることができる。更に、用語「プロセッサ」又は「コントローラ」の明示的使用は、ソフトウェアを実行することができるハードウェアを排他的に示すと解釈されるべきでなく、デジタル信号プロセッサ（「ＤＳＰ］）ハードウェア、ソフトウェアを記憶する読取専用メモリ（「ＲＯＭ」）、ランダムアクセスメモリ（「ＲＡＭ」）、不揮発性記憶装置等を暗示的に含むことができるが、これらに限定されない。
【００１８】
更に、本発明の原理、態様及び実施例並びに特定の例をここに記載する全ての記述は、構造的同等物及び機能的同等物の両方を含むと意図される。加えて、このような同等物が、現在既知の同等物及び将来開発される同等物（すなわち、構造にかかわらず、同じ機能を実行する、開発されたいかなる要素）の両方を含むことが意図される。このように、例えば、ここに提示されるブロック図が、本発明の原理を実施する説明用のシステムコンポーネント及び／又は回路の概念図を表すと当業者により理解される。同様に、いかなるフローチャート及びフロー図も、コンピュータ可読記憶媒体内に実質的に表され、明示的に示されているかどうかにかかわらず、コンピュータ又はプロセッサにより実行される、様々な処理を表すと理解される。
【００１９】
更に、本発明の実施例は、コンピュータ又は命令実行システムにより又は接続して使用するプログラムコードを提供するコンピュータ使用可能又はコンピュータ可読記憶媒体からアクセス可能なコンピュータプログラムの形式をとることができる。この説明の目的で、コンピュータ使用可能又はコンピュータ可読記憶媒体は、前記命令実行システム、装置又はデバイスにより又は接続して使用する前記プログラムを含む、記憶する、通信する、伝播する、又は輸送することができるいかなる装置であることもできる。前記媒体は、電子、磁気、光学、電磁、赤外、又は半導体システム（又は装置又はデバイス）又は伝播媒体であることができる。コンピュータ可読媒体の例は、半導体又は固体メモリ、磁気テープ、取り外し可能コンピュータディスケット、ランダムアクセスメモリ（ＲＡＭ）、読取専用メモリ（ＲＯＭ）、硬い磁気ディスク及び光ディスクを含む。光ディスクの現在の例は、コンパクトディスク‐読取専用メモリ（ＣＤ−ＲＯＭ）、コンパクトディスク‐読取／書き込み（ＣＤ−Ｒ／Ｗ）、ブルーレイ（登録商標）及びＤＶＤを含む。
【００２０】
ここで、同様の番号が同じ又は同様の要素をあらわす図面、最初に図１を参照すると、装置間又は装置とアクセサリとの間の適合性を検出するシステム１００は、一実施例によって例示的に描かれている。システム１００は、処置が監視及び/又は管理されるワークステーション又はコンソール１１２を含んでもよい。ワークステーション１１２は、好ましくは、１以上のプロセッサ１１４並びにプログラム及びアプリケーションを記憶するメモリ１１６を含む。メモリ１１６は、センサ、検出器又はアクセサリ装置１０６の識別機構１０４からフィードバックを受け取る機構１１０からのフィードバック信号を解釈する感知モジュール１１５を記憶してもよい。他の実施例において、感知モジュール１１５は、装置１０２上に含まれてもよい。
【００２１】
インテロゲーションソース１０８は、使用される装置のタイプを識別するようにフィードバックを生成し、メモリ１１６に記憶されたルックアップテーブル又は他の記憶構造のようなデータ構造１０７に対して前記フィードバックを比較するように識別機構１０４を起動又はインテロゲートする。感知モジュール１１５は、装置１０２に含まれてもよく、入力として医学的装置１０２からの信号を受け取ってもよい。装置１０２は、医学的装置を含みうるが、他の装置が使用されてもよい。本例において、医学的装置１０２は、カテーテル、ガイドワイヤ、プローブ、内視鏡、ロボット、電極、フィルタ装置、バルーン装置、消毒ハンドピース又は他の医学的コンポーネントを含みうる。医学的装置１０２は、フィードバックを生成するように識別機構１０４に信号を無線で送信してもよい又はセンサ装置１０４（例えば、接触スイッチ等）とドッキング又は接続する物理的特性を含んでもよいインテロゲーションソース又は装置１０４を含む。
【００２２】
識別機構１０４は、例えば、ＲＦＩＤタグ、誘導コイル又は複数のコイル、バーコード、色生成又は光輝性材料、カスタム接触スイッチ、デジタル画像、画像パターン等を含んでもよい。識別機構１０４は、好ましくは、アクセサリ装置１０６又は他の医学的装置若しくは複数の装置に組み込まれる。例えば、識別機構１０４は、アクセサリ装置１０６として使用されるバンデージ又は包帯に含まれてもよい。
【００２３】
医学的装置１０２は、ケーブル１２７を通ってワークステーション１１２に接続する。ケーブル１２７は、必要に応じて、光ファイバ、電気接続、無線通信、他の器具等を含んでもよい。医学的装置１０２は、インテロゲーションソース１０８を含み、ワークステーション１１２を通って給電される。インテロゲーションソース１０８は、信号、パルス、放射線を提供するか、又はセンサ装置１０４からの放射線を受動的に測定する。医学的装置１０２は、センサ装置１０４に近接して移動される又はセンサ装置１０４向けである。インテロゲーション装置１０８は、識別機構１０４に情報、パルス又は放射線等を送るように作動される。センサ装置１０４は、応答してもよく又はフィードバックを提供してもよい。フィードバックが提供されない又は不正確な若しくは不適合なフィードバックが提供される場合、医学的装置１０２は、装置１０２による動作又は治療の投与を防ぐように部分的に又は完全に使用不可にされる。
【００２４】
識別機構１０４からのフィードバックは、ワークステーション１１２に入力され、ルックアップテーブル１０７に対する比較を可能にするように必要に応じて変換又は他の形で処理される。ルックアップテーブル１０７は、医学的装置１０２の使用可能性を許可するいかなる又は全ての適合する信号を含む。前記フィードバック信号が認識されない場合、医学的装置１０２は、完全に又は部分的に使用不可にされる。警告メッセージは、適合性障害が生じたことをユーザが知らされるようにトリガされうる。
【００２５】
医学的装置１０２は、感知モジュール１１５において決定された不適合性結果に対して使用不可にされる、選択的に使用可能にされるフィーチャ又は複数のフィーチャ１０５を含む。医学的装置１０２は、複数の方法で使用不可にされてもよい。一例において、医学的装置１０２又はワークステーション１１２は、機械式／電気機械式スイッチ、トランジスタ又は他の集積回路スイッチ又はソフトウェア使用可能スイッチであってもよいスイッチ１２２を含む。スイッチ１２２は、適合性マッチが生じる場合に閉じられ、医学的装置１０２と識別機構１０４との間で適合性が見つけられない場合に開かれる。医学的装置１０２を使用不可にする他の方法は、トリガをロックすること、電源を切ること、警告を提供すること等を含んでもよい。
【００２６】
医学的装置１０２は、これ自体のメモリ１２４を含んでもよく、又は選択的に使用可能にされるフィーチャ１０５の使用と関連付けられた性質又はパラメータを記憶するメモリ１１６を使用してもよい。一実施例において、選択的に使用可能にされるフィーチャ１０５は、包帯又はバンデージ部位（アクセサリ装置１０６）を消毒するＵＶ源を含む。
【００２７】
一実施例において、ワークステーション１１２は、警告を生成する又は処置中に必要とされる他の機能に対してディスプレイ１１８を含む。ディスプレイ１１８は、ユーザがワークステーション１１２並びにそのコンポーネント及び機能、又はシステム１００内の他の要素とインタラクトすることを可能にしてもよい。これは、キーボード、マウス、ジョイスティック、触覚デバイス、又はユーザフィードバック及びワークステーション１１２とのインタラクションを可能にする他の周辺機器若しくは制御装置を含んでもよいインタフェース１２０により容易化される。ワークステーション１１２は、複数のフィーチャとともに描かれているが、これらのフィーチャの一部又は全てが、使用されなくてもよく、ワークステーション１１２は、依然として、本原理によって機能する。更に、ワークステーション１１２において記載されたフィーチャ又は構造の一部又は全ては、プロセッサ１１４、感知モジュール１１５、スイッチ１２２等を含む医学的装置１０２において実施されてもよい。
【００２８】
図２を参照すると、概略図は、アクセサリ装置１０６上のセンサ装置又は識別機構１０４に近接して配置されたインテロゲーションソース１０８を例示的に描いている。医学的装置１０２は、例えば、センサ装置１０４として使用されるＲＦＩＤタグに近接させられてもよい。距離「Ａ」、「Ｂ」及び「Ｃ」は、前記ＲＦＩＤタグ、バーコード等の適切な読み取りを可能にするように特定及び制御されてもよい。影又は投影１５２は、オフセット「Ｂ」及び「Ｃ」を示すように提供される。投影１５２は、例えば、ＵＶ光源（図示されない）により治療される例示的な治療領域を示す。
【００２９】
一実施例において、ＲＦＩＤタグ１０４は、目標又は治療領域をマークするような形状又はサイズにされる。タグ１０４の配置、サイズ及び形状は、治療が前記包帯の当該領域内でのみ実施されることを保証するように、装置（ハンドピース）１０２及びインテロゲーションソース１０８をＲＦＩＤタグ１０４に対して位置調整することをオペレータに強制する。他の実施例において、治療を実施するために前記包帯の中心（又は他の場所）を目標とするようにオペレータに対するアライメントガイドを提供する代替的な方法として、複数のＲＦＩＤタグ１０４が、アクセサリ装置１０６上で使用されてもよい。
【００３０】
図３を参照すると、概略図は、本原理を使用する有用な構成２００を示す。構成２００は、上記のようにワークステーション１１２とともに実施されてもよく、又は独立して実施されてもよい。ＵＶエネルギ源装置又はハンドピース２０２は、特定の範囲及び向き内でＲＦＩＤタグ２１６を読み取ることができるＲＦＩＤリーダ集積回路を含む。補完的アクセサリ２１４は、補完アクセサリ２１４内のいかなる場所にでも配置されるパッシブな、市販のＲＦＩＤタグを含んでもよいディスポーザブル包帯（バンデージ）を含んでもよい。ＲＦＩＤタグ２１６は、バンデージ２１４に永久的に貼り付けられてもよく、又は取り外し可能（例えば、半永久的）であり、再使用されてもよい。装置２０２は、前記リーダがＲＦＩＤタグ２１６を識別することができるように包帯（バンデージ）２１４に近接させられる。本例において、プロセッサ又はマイクロコントローラユニット（ＭＣＵ）２０６は、ＲＦＩＤタグ２１６を使用して装置２０２とアクセサリ２１４との間の適合性を確認するようにＲＦ通信２１２を介して受け取られたフィードバックを比較する。
【００３１】
ＲＦＩＤリーダ２０４は、適合性が存在する場合に、ＵＶ源２１０の機能を可能にするプロセッサ２０６に対して適合性を承認する。ソース２１０は、この場合、患者を治療するのに使用されてもよい。
【００３２】
ＲＦ通信２１２は、低電力かつ短距離でありうる。ＲＦ範囲は、ＵＶ源２１０に対する「フラッシュセーフ（flash safe）」距離測定を提供するように測定されてもよい。例えば、ソース２１０と患者（アクセサリ２１４）との間の距離は、ＲＦ通信２１２を使用して測定されることができる。この距離は、効果的な量の光が目標に供給されているインジケータを提供するように機能する。ＵＶ領域フォトダイオードのようなＵＶ検出器２０８は、反射されたＵＶ光を測定する又は動作中のフラッシュの強度又は持続時間を測定するように設けられてもよい。このような測定は、装置２０２の機能を使用可能又は使用不可にするのに使用されてもよい。
【００３３】
図４を参照すると、概略図は、本原理を使用する他の有用な構成３００を示す。構成３００は、上記のようにワークステーション１１２とともに実施されてもよく、又は独立に実施されてもよい。構成３００は、ＣＭＯＳ又はＣＣＤ感知チップ又は装置を含んでもよい画像センサ又はイメージャ３０２を持つＵＶエネルギ源又はハンドピース２０２を含む。検出光３０８は、バンデージ又は包帯のようなアクセサリ３１４に向けられた光を生成する。光３０８は、アクセサリ３１４から情報を読み取る発光ダイオード又は他のソースを含んでもよい。アクセサリ３１４は、その表面上にユニークパターン、画像又はバーコード３１２を含む。パターン３１２は、インクパターンを含んでもよく、バンデージ又は包帯の布地に織り込まれてもよく、アクセサリ３１４の表面に永久的に貼り付けられるタグ又はステッカであってもよい。
【００３４】
光源３０８からの反射光は、イメージャ３０２において受け取られる。画像の収束及びそうするために行われる調整は、イメージャ３０２のレンズの焦点配置を使用して距離を決定する方法として使用されてもよい。この距離測定は、上記のようにフラッシュセーフティに対する正しい距離を保証する方法として使用されてもよい。イメージャ３０２により受け取られた画像３１０は、パターン３１２の適合性のある画像を記憶するフレームバッファ３０４又は複数のフレームバッファに対して比較される。パターン３１２の画像とフレームバッファ３０４内の画像との間にマッチが存在する場合、ＵＶ源２１０は、使用可能にされる。この比較は、プロセッサ（ＭＣＵ）３０６により実行される。プロセッサ３０６は、ＵＶ源２１０を使用可能又は使用不可にするのに使用されてもよい。ＵＶ検出器２０８は、反射ＵＶ光を測定する、動作中のフラッシュの強度若しくは持続時間を測定する、又は治療の時間を記録するように設けられてもよい。更に、イメージャ３０２は、前記画像において「ウォッシュアウト」を検出することによりＵＶ源２１０のフラッシュ（例えば、その持続時間、強度等）を検出するのに使用されてもよい。
【００３５】
図５を参照すると、概略図は、本原理を使用する他の有用な構成４００を示す。構成４００は、上記のようにワークステーション１１２とともに実施されてもよく、又は独立して実施されてもよい。構成４００は、色を測定又は検出するように構成されたＣＭＯＳ装置等を含んでもよいカラーセンサ集積回路（ＩＣ）４０２を持つＵＶエネルギ源装置又はハンドピース２０２を含む。検出光４０８は、バンデージ又は包帯のようなアクセサリ４１４に向けられるＵＶ光（例えば、ＵＶ源２１０により生成されたＵＶＢ又はＵＶＣとは対照的にＵＶＡ）を生成する。光４０８は、アクセサリ４１４を照射する発光ダイオード又は他のＵＶ源を含んでもよい。アクセサリ４１４は、りん光性のような発光材料４１２及び/又は石松子、硫化カルシウム、光輝性色素のような蛍光性材料等を含む。これらの材料は、パターンを形成してもよく、又はアクセサリ４１４上に一様に分散されてもよい。発光材料は、可視光により大幅には影響されないが、光４０８からのＵＶＡ光で照射される場合、知覚できる色４１０が発せられる。色４１０は、光の特定の波長又は波長の組み合わせを生じるようにセットされてもよい。加えて、着色光４１０の強度又は他の特性は、カラーセンサＩＣ４０２に記憶された所定の光特性に対する比較に対して使用されてもよい。
【００３６】
着色光４１０は、ＩＣ４０２において受け取られる。その特性が、所定のセッティングとの適合性がある場合、ＵＶ源２１０が、使用可能にされる。発光強度は、いつフラッシュが生じたか及び前記フラッシュに関する特性を決定するようにＵＶ源２１０のフラッシュの間又は後に使用されてもよい。
【００３７】
色の組み合わせの間にマッチが存在する場合、ＵＶ源２１０は、使用可能にされる。この比較は、プロセッサ（ＭＣＵ）４０６及び/又はＩＣ４０２により実行される。プロセッサ４０６は、ＵＶ源２１０を使用可能又は使用不可にするのに使用されてもよい。ＵＶ検出器２０８は、反射ＵＶ光を測定する又は動作中のフラッシュの強度又は持続時間を測定するように設けられてもよい。
【００３８】
図６を参照すると、概略図は、本原理を使用する他の有用な構成５００を示す。構成５００は、上記のようにワークステーション１１２とともに実施されてもよく、又は独立に実施されてもよい。構成５００は、機械的接点５０４及び５０５に対する／からの電圧又は電流を提供する単純な回路を含んでもよいセンサ回路５０２を持つＵＶエネルギ源装置又はハンドピース２０２を含む。機械的接点５０４及び５０５は、アクセサリ５１４からの電気的特性の測定を行うプローブとして機能してもよい。アクセサリ５１４は、露出した導電性形状又は回路５１６を含む。
【００３９】
構成５００が使用されることができる複数の方法が存在する。一実施例において、接点５０４及び５０５は、物理的接触５１８により許容可能又は適合性のあるバージョンのアクセサリ５１４内に又は対してフィットするように構成される。適切なフィットがなされない場合、ＵＶ源２１０は、回路５０２及び/又はプロセッサ（ＭＣＵ）５０６により使用不可にされる。他の実施例において、物理的測定が、接点５０４及び５０５に対して行われる。測定結果が仕様の範囲内である場合、アクセサリ５１４は適合性があり、前記ＵＶ源は使用可能にされる。前記測定結果は、例えば、抵抗値、キャパシタンス値、インダクタンス値、これら又は他の値の組み合わせを含んでもよい。
【００４０】
接点５０４、５０５及び形状５１６は、複数の異なる構成で作成されてもよい。一部の例において、磁気共鳴撮像又は他の撮像モードと適合性のある形状５１６に対する導電性材料を使用することが、好ましいかもしれない。形状５１６の複数の構成は、装置２０２が複数の異なるアクセサリ５１４とともに使用されることができるように接点５０４、５０５との適合性を持つようにされてもよい。形状５１６は、接点を含んでもよく、接点５０４、５０５に対する一貫した接触点を提供するように平坦にされる又は他の形で成形されてもよい。接点５０４／５０５と５１６との間の物理的接触５１８関係は、ＵＶ源２１０と（例えば、患者に着用されてもよい）アクセサリ５１４との間の機能的かつ安全な距離を提供するように使用されてもよい。いずれか１つの物理的接触５１８が壊れる場合、ＵＶ源２１０は使用不可にされる。接点の数が２より大きくてもよく、接点の数が、アクセサリ５１４を識別する際に使用されてもよいことに注意すべきである。例えば、同心リングの形状は、接点が、物理的特性等を測定するように特定の場所において前記リング間の接続を提供する場合に、使用されてもよい。接点５０４、５０５及び形状５１６は、異なるサイズを持ってもよく、これらの間の特定の関係を提供するようにそれぞれの表面から延在してもよい。ＵＶ検出器２０８は、反射ＵＶ光を測定する又は動作中のフラッシュの強度又は持続時間を測定するように設けられてもよい。
【００４１】
図７を参照すると、概略図は、本原理を使用する他の有用な構成６００を示す。構成６００は、上記のようにワークステーション１１２とともに実施されてもよく、又は独立に実施されてもよい。構成６００は、一次誘導コイル６０２及び誘導コイル６０２に対するＡＣドライバ回路６０４を持つＵＶエネルギ源装置又はハンドピース２０２を含む。ドライバ回路６０４は、（バンデージ等のような）アクセサリ６１４に配置された二次誘導コイル６１６において磁場６１２を誘導するように一次誘導コイル６０２を駆動する。二次コイル６１６の励起は、電流感知回路６０８において測定される一次コイル６０２上のローディング（loading）６１０を誘導する。感知回路６０８は、感知されたパラメータがプロセッサ（ＭＣＵ）６０６により決定された期待される基準を満たす場合に適合性のあるアクセサリの存在を検出する。
【００４２】
構成６００は、ハンドピース２０２とアクセサリ６１４との間の距離の測定又は制御を可能にする単純化された誘導近接センサとして機能する。二次コイル６１６は、磁気共鳴撮像又は他の処理を可能にするように非鉄導体を含んでもよい。前記非鉄導体は、例えば、ＮｉＴｉワイヤ、導電性インク等を含んでもよい。適切な測定結果が、誘導コイル６０２と６１６との間で得られない場合、ＵＶ源２１０は、回路６０８及び/又はプロセッサ６０６により使用不可にされる。ＵＶ検出器２０８は、反射ＵＶ光を測定する又は動作中にフラッシュの強度又は持続時間を測定するように設けられてもよい。
【００４３】
図８を参照すると、本原理を使用する他の有用な構成７００を示す。構成７００は、上記のようにワークステーション１１２とともに実施されてもよく、又は独立に実施されてもよい。構成７００は、ＣＭＯＳ感知アレイ又はチップを含んでもよい線形センサアレイ７０２を持つＵＶエネルギ源装置又はハンドピース２０２を含む。検出光７０８は、バンデージ又は包帯のようなアクセサリ７１４に向けられる光を生成する。光７０８は、アクセサリ７１４から情報を読み取るように構成される発光ダイオード又は他のソースを含んでもよい。光７０８は、可視光を含んでもよい。アクセサリ７１４は、その表面上にユニークパターン、画像又はバーコード７１６を含む。パターン７１６は、インクパターンを含んでもよく、バンデージ又は包帯の布地に織り込まれてもよく、アクセサリ７１４の表面に永久的に貼り付けられるタグ又はステッカであってもよい。
【００４４】
光７０８からの反射光は、線形センサアレイ７０２において受け取られる。画像の収束及びそうするために行われる調整は、線形センサアレイ７０２とアクセサリ７１４との間の距離を決定する方法として使用されてもよい。この距離測定は、フラッシュセーフティに対する正しい距離を保証する方法として使用されてもよい。線形センサアレイ７０２により受け取られる画像７０４は、正しい又は適合性のあるパターンが感知されるかどうかを決定するように線形センサアレイ７０２により比較される。画像７０４と線形センサアレイ７０２の構成との間にマッチが存在する場合、出力（例えば、アナログ）は、ＵＶ源２１０を使用可能にするようにプロセッサ（ＭＣＵ）７０６に送信される。この比較は、線形センサアレイ７０２により実行される。プロセッサ７０６は、線形センサアレイ７０２のアナログ出力によってＵＶ源２１０を使用可能又は使用不可にするのに使用される。ＵＶ検出器２０８は、反射ＵＶ光を測定する又は動作中のフラッシュの強度又は持続時間を測定するように設けられてもよい。更に、線形センサアレイ７０２は、前記画像において「ウォッシュアウト」を検出することによりＵＶ源２１０のフラッシュ（例えば、その持続時間、強度等）を検出するのに使用されてもよい。
【００４５】
本原理は、バンデージ又は包帯アクセサリを用いるＵＶ消毒システムに関して記載されているが、本原理は、医学分野の多くの他の領域及び他の科学的及び工学的研究において適用可能である。例えば、本原理は、投与又は治療の頻度が健康及び/又は安全のために必要とされる医学的応用において適用されてもよく、又は適切なアクセサリ又は装置が使用される場合のみに危険又は高価な機器が使用可能にされることができる研究所において適用されてもよい。
【００４６】
ここに記載された感知機構は、装置と患者との間のアライメントが検討事項であるいかなる応用例に対しても、治療又は使用中の装置の適切な配置に対して使用されてもよい。これは、意図された手術部位内に装置機能を制限することにより、不正確な部位手術を防ぐようにツールとして適用されてもよい。例えば、特定の部位のみが前記装置により治療されるべきである皮膚科的治療（例えば、入れ墨除去）中に、アクセサリは、適切な場所に配置されてもよく、前記装置の使用可能性は、当該場所における使用に限定されてもよい。加えて、前記実施例のいずれかにおけるハンドピース２０２は、メモリ記憶部（例えば、メモリ１１６及び/又は１２４、図１）を含んでもよい。測定されたパラメータ、タイプ、持続時間、治療の頻度等は、手動の記録に対する必要性なしで記録が提供されるように前記アクセサリ装置に記憶され、ユニークな識別子と関連付けられてもよい。
【００４７】
図９を参照すると、装置使用を可能にするために適合性を決定する方法が、本原理によって示されている。ブロック８０２において、アクセサリ装置の識別機構は、前記識別機構からフィードバックを生成するようにインテロゲーションソースを使用してインテロゲートされる。前記アクセサリ装置は、包帯、バンデージ又は他の装置を含んでもよい。ブロック８０６において、前記フィードバックは、（選択的に作動されるフィーチャを持つ）第１の装置と前記アクセサリ装置との間の適合性を決定するように測定される。
【００４８】
ブロック８１０において、適合性に対する確認がなされる。前記フィードバックが適合性を示す場合、前記選択的に作動されるフィーチャは、ブロック８１２において使用可能にされる。そうでなければ、前記第１の装置は、適合性がブロック８１１において確立されることができるまで使用不可又は部分的に使用不可にされる。
【００４９】
前記第１の装置は、ＵＶ消毒装置を含んでもよく、前記選択的に作動されるフィーチャは、ＵＶ源を含んでもよい。ブロック８１４において、前記ＵＶ源の使用可能化中に、前記ＵＶ源のフラッシュの特性は、センサ装置（検出器等）を使用して測定されてもよい。前記特性は、強度、持続時間、又は他のパラメータを含んでもよい。他の特性は、使用頻度、合計暴露時間等を含んでもよい。ブロック８１６において、一実施例において、前記アクセサリ装置に対する前記第１の装置の距離又は位置は、前記インテロゲーション装置と前記識別機構との間の関係を使用して測定されてもよい。例えば、前記誘導コイルは、位置センサ等として使用されてもよい。
【００５０】
ブロック８１８において、前記選択的に作動されるフィーチャに関連付けられた特性又はパラメータが、メモリに記憶され、前記識別機構のユニークな識別子に関連付けられてもよい。このフィーチャは、手動記録及び記録管理の必要性を取り除きうる。
【００５１】
添付の請求項を解釈する際に、
ａ）単語「有する」が、所定の請求項にリストされた要素又は動作以外の要素又は動作の存在を除外せず、
ｂ）要素に先行する単語「ある」が、複数のこのような要素の存在を除外せず、
ｃ）請求項内の参照符号がその範囲を限定せず、
ｄ）いくつかの「手段」が、同じアイテム又はハードウェア又はソフトウェア実施構成又は機能により表されてもよく、
ｅ）動作の特定の順序が、特に示されない限り必要とされることを意図されない、
と理解されるべきである。
【００５２】
（例示的であり、限定的ではないと意図される）医学的応用における装置感知に対する好適な実施例を記載したが、修正例及び変形例が、上の教示に照らして当業者により行われることができることに注意する。したがって、添付の請求項により概観されるここに開示された実施例の範囲内である開示の特定の実施例において変更がなされてもよいと理解されるべきである。このように詳細を記載し、特許法により特に要求されるように、特許証により請求され、望ましく保護されるものは、添付の請求項に記載される。
【図１】
2015526805.tif 000003
【図２】
2015526805.tif 000004
【図３】
2015526805.tif 000005
【図４】
2015526805.tif 000006
【図５】
2015526805.tif 000007
【図６】
2015526805.tif 000008
【図７】
2015526805.tif 000009
【図８】
2015526805.tif 000010
【図９】
2015526805.tif 000011
【国際調査報告】
2015526805.tif 000012
2015526805.tif 000013